(57)【要約】【課題】飛行中の航空機の内部客室内の乗客間など、トリップ中のビークルに乗っている乗客間の病原体の拡散を、乗客に害を与えるリスクなしに妨げるためのシステム及び方法を提供する。【解決手段】殺菌システムは、複数の紫外線（UV）ランプと、1つ又は複数のプロセッサを含む制御ユニットとを含む。UVランプは、ビークルの内部客室内の様々な箇所に取り付けられる。UVランプは、ビークルに搭載された電源から電力を受け取り、ビークルのトリップ中に内部客室内にUV光を放射するように構成される。制御ユニットは、UVランプに動作可能に接続され、共通領域の占有に基づいて内部客室の共通領域に位置するUVランプの1つ又は複数に供給される電力を変更するように構成される。【選択図】図4
2022002699.tif 000002
【特許請求の範囲】
【請求項１】
ビークルの内部客室内の様々な箇所に取り付けられた複数の紫外線（UV）ランプ（120）であって、前記UVランプ（120）は、前記ビークルに搭載された電源（172）から電力を受け取り、前記ビークルのトリップ中に前記内部客室内にUV光を放射するように構成されている、複数の紫外線（UV）ランプ（120）と、
1つ又は複数のプロセッサ（182）を含み、前記UVランプ（120）に動作可能に接続された制御ユニット（170）であって、前記制御ユニット（170）は、前記内部客室の共通領域に位置する前記UVランプ（120）の1つ又は複数に供給される前記電力を、前記共通領域の占有に基づいて変更する、制御ユニット（170）と
を備える、殺菌システム（100）。
【請求項２】
前記共通領域の乗員が前記共通領域を出たことを検出したことに応答して、前記制御ユニット（170）が、前記共通領域の迅速な殺菌を提供するために、前記共通領域に位置する前記1つ又は複数のUVランプ（120）を指定された期間にわたって高電力レベルで動作させるように構成されている、請求項1に記載の殺菌システム（100）。
【請求項３】
前記共通領域が前記指定された期間の満了時に占有されていることを検出したことに応答して、前記制御ユニット（170）が、前記共通領域に位置する前記1つ又は複数のUVランプ（120）を、前記高電力レベルよりも低い低減された電力レベルで動作させるように構成されている、請求項2に記載の殺菌システム（100）。
【請求項４】
前記低減された電力レベルが、前記高電力レベルよりも小さく、かつ低い非ゼロ電力レベルよりも大きい中電力レベルである、請求項3に記載の殺菌システム（100）。
【請求項５】
前記共通領域が前記指定された期間の満了時に占有されていないことを検出したことに応答して、前記制御ユニット（170）が、（i）UV光の放射を停止させるために、前記共通領域に位置する前記1つ又は複数のUVランプ（120）をオフにすること、又は（ii）前記共通領域に位置する前記1つ又は複数のUVランプ（120）を前記高電力レベルよりも低い低減された電力レベルで動作させることのうちの一方を行うように構成されている、請求項2、3、又は4に記載の殺菌システム（100）。
【請求項６】
前記低減された電力レベルが、低い非ゼロ電力レベルである、請求項5に記載の殺菌システム（100）。
【請求項７】
前記共通領域が、トイレ、前記トイレのすぐ外側の領域、調理室、通路、乗務員室、前記内部客室の2つの異なるゾーン間の仕切りアセンブリ、又は前記ビークルの入口に隣接する領域のうちの1つである、請求項1から6のいずれか一項に記載の殺菌システム（100）。
【請求項８】
前記内部客室内に取り付けられ、前記制御ユニット（170）に動作可能に接続された1つ又は複数のセンサ（178）をさらに備え、前記1つ又は複数のセンサ（178）は前記共通領域を監視し、前記制御ユニット（170）は、前記1つ又は複数のセンサ（178）から受信した信号に基づいて前記共通領域の前記占有を決定する、請求項1から7のいずれか一項に記載の殺菌システム（100）。
【請求項９】
前記1つ又は複数のセンサ（178）が、圧力センサ、近接センサ、又は動きセンサのうちの少なくとも1つを含む、請求項8に記載の殺菌システム（100）。
【請求項１０】
前記1つ又は複数のセンサ（178）が複数のセンサ（178）を含み、前記センサ（178）の少なくともサブセットが、床の上を歩く乗員を監視するために前記内部客室の床の下に配置された圧力センサ（178）である、請求項1から9のいずれか一項に記載の殺菌システム（100）。
【発明の詳細な説明】
【技術分野】
【０００１】
本開示の実施形態は、一般に、ビークル客室などの密閉構造内の構造及び空気を殺菌するために使用することができるシステム及び方法に関する。
【背景技術】
【０００２】
民間航空機などのビークルは、様々な箇所間で乗客を輸送するために使用される。様々な有害微生物又は他の病原体を死滅させる又は中和するために、表面を消毒又は他の方法で殺菌するためのシステムが現在開発されている。航空機内の表面を殺菌する典型的な方法は、1人又は複数人の乗務員による多大な手作業を伴う。例えば、一部の乗務員は、航空機の内部客室内の表面に洗浄化学物質を噴霧して拭き取ることができる。他の乗務員は、内部客室の近くの表面に紫外線（UV）放射線を放射する棒をゆっくりと振ることができる。UV放射線は、少なくとも指定された時間量の間、標的表面の特定の近傍に保持された場合、一部の微生物又は他の病原体を死滅させる又は中和することができる。
【０００３】
さらに、航空機などの多くの商用ビークルは、微生物及び病原体を捕捉することができる空調システム内のHEPAフィルタを有する。HEPAフィルタは、客室から出るか、又は客室に入ろうとしている空気を受け入れて浄化する。HEPAフィルタ及びフライト間の客室の頻繁な洗浄は、航空機に乗っている乗客及び乗務員の健康を確保するためのいくつかの方法である。HEPAフィルタ及び化学的洗浄を補うために、追加の殺菌方法を使用することができる。
【発明の概要】
【発明が解決しようとする課題】
【０００４】
飛行中の航空機の内部客室内の乗客間など、トリップ中のビークルに乗っている乗客間の病原体の拡散を、乗客に害を与えるリスクなしに妨げるためのシステム及び方法が必要とされている。
【課題を解決するための手段】
【０００５】
これらの必要性を念頭に置いて、本開示の特定の実施形態は、複数の紫外線（UV）ランプと、1つ又は複数のプロセッサを含む制御ユニットとを含む殺菌システムを提供する。UVランプは、ビークルの内部客室内の様々な箇所に取り付けられる。UVランプは、ビークルに搭載された電源から電力を受け取り、ビークルのトリップ中に内部客室内にUV光を放射するように構成される。制御ユニットは、UVランプに動作可能に接続され、共通領域の占有に基づいて内部客室の共通領域に位置するUVランプの1つ又は複数に供給される電力を変更するように構成される。
【０００６】
1つ又は複数の実施形態では、ビークルを殺菌するための方法が提供される。本方法は、UVランプがビークルのトリップ中に内部客室内にUV光を放射するために、ビークルに搭載された電源から、ビークルの内部客室内の様々な箇所に取り付けられた複数の紫外線（UV）ランプに電力を供給するステップを含む。本方法はまた、共通領域の占有に基づいて内部客室の共通領域に位置するUVランプの1つ又は複数に供給される電力を変更するステップを含む。
【０００７】
1つ又は複数の実施形態では、複数の紫外線（UV）ランプと、1つ又は複数のセンサと、1つ又は複数のプロセッサを含む制御ユニットとを含む殺菌システムが提供される。UVランプは、ビークルの内部客室内の様々な箇所に取り付けられる。UVランプは、ビークルに搭載された電源から電力を受け取り、ヒト組織にとって安全な指定された波長又は狭い波長範囲でビークルのトリップ中に内部客室内にUV光を放射するように構成される。1つ又は複数のセンサは、内部客室内に取り付けられ、内部客室の共通領域を監視するように構成される。制御ユニットは、UVランプ及び1つ又は複数のセンサに動作可能に接続される。制御ユニットは、1つ又は複数のセンサから受信した信号に基づいて共通領域の占有を決定し、共通領域の決定された占有に基づいて共通領域に位置するUVランプの1つ又は複数に供給される電力を変更するように構成される。
【図面の簡単な説明】
【０００８】
【図１】本開示の実施形態による、航空機の正面斜視図である。
【図２Ａ】本開示の一実施形態による、航空機の内部客室の平面図である。
【図２Ｂ】本開示の別の実施形態による、航空機の内部客室の平面図である。
【図３】一実施形態による殺菌システムの概略図である。
【図４】一実施形態によるビークルの内部客室内の殺菌システムを示す概略図である。
【図５】ビークルの内部客室内のトイレの内部斜視図である。
【図６】ビークルの内部客室内のトイレのすぐ外側の領域の斜視図である。
【図７】ビークルの内部客室内の調理室の斜視図である。
【図８】通路の片側にある乗客座席のグループを示す内部客室の乗客座席領域の側面図である。
【図９】一実施形態による殺菌システムの1つのUVランプの側面図である。
【図１０】別の実施形態による殺菌システムのUVランプの側面図である。
【図１１】ビークルの内部客室内の空気及び表面を殺菌及び消毒するための方法のフローチャートである。
【発明を実施するための形態】
【０００９】
添付の図面と併せて読めば、上述の概要、並びに特定の実施形態の以下の詳細な説明がより良く理解されよう。本明細書で使用される場合、「a」又は「an」に続いて単数形で記載される要素又はステップは、要素又はステップの複数を排除するものではないと理解されるべきである。また、「一実施形態」への言及は、記載した形態を組み込んだ付加的な実施形態の存在を除外するものとして解釈されるものではない。さらに、特に明示的に述べられていない限り、特定の状態を有する1つ又は複数の要素を「含む（comprising）」又は「有する（having）」実施形態は、その状態を有していない追加の要素を含むことができる。
【００１０】
本開示の特定の実施形態は、民間航空機などのビークルの内部客室を消毒するための殺菌システム及び方法を提供する。殺菌システムは、内部客室内に配置された紫外線（UV）ランプのグループを含む。UVランプは、UV光が内部客室内の空気及び表面を殺菌するように、ビークルの走行中に内部客室内にUV光を放射するように配置及び制御される。UVランプは、ヒト組織にとって安全な指定された波長又は狭い波長範囲でフィルタリングされたUV光を放射するように制御され得る。例えば、指定された波長は222nmであってもよい。UVランプは、空気及び表面を空気フィルタリング（例えば、HEPAフィルタを用いて）及び化学洗浄剤の手動適用によって洗浄することができる前に、空気及び表面を殺菌するように配置される。UVランプの少なくともいくつかは、長期間にわたってUV光を持続的に放射するように動作することができる。例えば、UVランプの少なくともいくつかは、乗客がビークルに搭乗した時間から乗客が降機した時間まで、トリップの全期間にわたってUV光を連続的に放射するようにオンにする（例えば、アクティブにする）ことができる。持続的なUV放射は、病原体を死滅させるか又は中和して、客室洗浄と空調サイクルとの間のビークルの走行中の空気中及び表面上の病原体の拡散を禁止する。
【００１１】
本明細書に開示される実施形態では、UVランプの少なくともいくつかは、同時にではなくても、2人以上が使用するために利用可能な内部客室の領域に位置する。そのような領域は、本明細書では共通領域と呼ばれる。一人の人にしか利用できない乗客座席の周りの領域とは対照的に、共通領域は、複数の乗客及び／又は乗務員の間で共有される。共通領域は、トイレ、通路、ビークル入口領域、ビークル出口領域（入口領域とは異なる場合）、調理室、トイレの外側の領域、乗務員室、ファーストクラスの乗客用のスイートルームなどを含むことができる。本明細書で使用される場合、共通領域は、コーチ席などの一般乗客座席領域を指すものではないが、通路は複数の乗客及び乗務員によって使用されるため、一般乗客座席領域を通って延在する通路を指すことができる。共通領域に位置するUVランプは、共通領域を殺菌及び消毒するためにUV光を放射する。共通領域は、断続的な占有を有することができる。例えば、航空機の離着陸中、乗客及び乗務員は着座したままであるため、共通領域の少なくとも一部は占有されていない可能性がある。
【００１２】
本明細書に開示される殺菌システムは、共通領域の占有に基づいて共通領域内のUVランプの動作を制御する。例えば、UVランプは、関連する共通領域が占有されているとき、又は共通領域が占有された直後に、関連する共通領域が長期間にわたって占有されていないときよりも大きな電力を受け取ることができる。より大きな電力を受け取ると、UVランプは、照射野内のより大きな強度及び／又は範囲でUV光を放射し、これにより、UVランプを低い電力レベルで動作させることによって引き起こされるより低い強度を有するUV光よりも、単位時間当たりより多くの量又は割合の病原体を死滅させる又は中和することができる。より大きな電力での高強度のUV光を使用して、共通領域を迅速に殺菌することができる。例えば、共通領域は、迅速な殺菌が共通領域内の各乗員の間又は後に行われるように、インターバル時間ベース又は乗員ベースで迅速に殺菌され得る。共通領域が占有されていない場合、共通領域内のUVランプを全トリップ又は少なくとも長期間にわたって高電力レベル又は設定で動作させるのと比較して、気エネルギーを節約するために共通領域内のUVランプへの電力を低減するか、又は遮断することさえできる。したがって、共通領域内のUVランプに供給される電力は、電力の消費を制限しながら、必要に応じて迅速な殺菌を提供するために、占有に基づいて選択的に変調又は変更され得る。
【００１３】
本明細書で言及される占有は、少なくとも1人の人が指定された領域に存在するか否かを指し、したがって、一般にバイナリの意味で言及される。殺菌システムは、領域内に存在する人の数又は身元などの追加情報を必ずしも決定することなく、領域が占有されていることを検出することができる。共通領域の乗員とは、乗客又は乗務員など、任意の人を指すことができる。本明細書に記載の実施形態では、殺菌システムは、共通領域の占有状態に基づいて異なるモード又は設定で共通領域に位置するUVランプを制御する。
【００１４】
殺菌システムの1つ又は複数の技術的効果は、空気中及び表面上の両方で、ビークルのトリップ中にビークルの乗員（例えば、乗客及び乗務員）間の病原体の拡散を低減することを含む。例えば、殺菌システムは、共通領域内の先行する乗員から放出された病原体が、後続の乗員が共通領域内に存在する前又は間に死滅する又は中和されるように、乗員間の共通領域内の空気及び表面を迅速に殺菌することができる。別の技術的効果は、殺菌システムによって放射されるフィルタリングされたUV光が乗客の注意を逸らすこともなく有害でもないので、殺菌システムの存在及び動作が乗客の健康又はトリップの楽しみに悪影響を及ぼさないことである。さらに、UVランプを動作させるには電源からのエネルギーが必要であるが、殺菌システムは、（中又は高電力設定で永続的に動作するのと比較して）消費される総エネルギーを低減するために、占有に基づいてUVランプの設定を変調することができ、これにより、乗客の健康及び安全を犠牲にすることなく望ましくは電力消費を制限する。殺菌システムは、飛行中に航空機の客室内の安全な環境を必要とする規制への準拠を保証することができる。
【００１５】
図1は、本開示の実施形態による、航空機10の正面斜視図を示している。航空機10は、例えば、エンジン14を含む推進システム12を含む。任意選択的に、推進システム12は、図示されているよりも多くのエンジン14を含むことができる。エンジン14は、航空機10の翼16によって支えられる。他の実施形態では、エンジン14は、胴体18及び／又は尾翼20によって支えられてもよい。尾翼20はまた、水平スタビライザ22及び垂直スタビライザ24を支持することができる。
【００１６】
航空機10の胴体18は内部客室を画定し、内部客室は、フライトデッキ又はコックピット、1つ又は複数の作業セクション（例えば、調理室、人員の機内持ち込み手荷物領域など）、1つ又は複数の乗客セクション（例えば、ファーストクラス、ビジネスクラス、及びコーチセクション）、1つ又は複数のトイレなどを含み得る。
【００１７】
あるいは、航空機の代わりに、本開示の実施形態は、自動車、バス、列車ビークル、船舶などの様々な他のビークルと共に使用されてもよい。例えば、本明細書に開示される殺菌システムを、乗客列車、バス、乗客ボートなどの内部客室に実装することができる。本開示の実施形態はまた、商業用及び居住用建物などの固定構造内の囲まれた領域に関して使用されてもよい。例えば、本明細書に開示される殺菌システム及び方法は、劇場、コンサート会場、宗教施設、オフィスビル、店舗などの中に設置及び動作することができ、有害でない波長の持続的なUV光は、空気及び表面の連続的な消毒を提供することができる。
【００１８】
図2Aは、本開示の一実施形態による、航空機の内部客室30の平面図を示している。内部客室30は、図1に示す航空機10の胴体18内にあってもよい。例えば、1つ又は複数の胴体壁が内部客室30を画定してもよい。内部客室30は、前部セクション33、ファーストクラスセクション34、ビジネスクラスセクション36、前部調理室ステーション38、拡張エコノミー又はコーチセクション40、標準的なエコノミーのコーチセクション42、及び後部セクション44を含む複数のセクションを含む。内部客室30はまた、複数のトイレ45を含む。内部客室30は、図示されているよりも多い又は少ないセクションを含むことができることを理解されたい。例えば、内部客室30は、ファーストクラスセクションを含まなくてもよく、図示されているよりも多い又は少ない調理室ステーションを含んでもよい。各セクションは、クラス仕切りアセンブリ48を含むことができる客室移行領域46によって分離され得る。
【００１９】
図2Aに示すように、内部客室30は、内部客室30のかなりの長さに延在し、後部セクション44に通じる2つの通路50及び52を含む。通路50及び52は、出口経路又はドア通路60まで延在する。出口ドア62は、出口経路60の端部に位置する。出口経路60は、通路50及び52に対して垂直であってもよい。内部客室30は、図示されているよりも多くの出口経路60を異なる箇所に含むことができる。任意選択的に、内部客室30は、図示されているよりも少ない又は多い通路を有してもよい。例えば、内部客室30は、後部セクション44に通じる内部客室30の中心を通って延在する単一の通路を含むことができる。本明細書に記載の殺菌システムは、内部客室30内の空気及び様々な構造を殺菌するために使用され得る。
【００２０】
図2Bは、本開示の別の実施形態による、航空機の内部客室80の平面図を示している。内部客室80は、図1に示す航空機10の胴体18内にあってもよい。例えば、1つ又は複数の胴体壁が内部客室80を画定してもよい。内部客室80は、乗客座席83及び通路84を有する主客室82と、主客室82の後ろの後部セクション85とを含む複数のセクションを含む。内部客室80はまた、トイレ87を含む。内部客室80は、図示されているよりも多い又は少ないセクションを含むことができる。
【００２１】
内部客室80は、内部客室80のかなりの長さにわたって延在し、後部セクション85に通じる単一の通路84を有する。通路84は、通路2s84が内部客室80の中央長手方向面86と同軸になるように、内部客室80の中心を通って延在してもよい。通路84は、航空機の入口に隣接する領域である出口経路又はドア通路90まで延在する。出口ドア92は、出口経路90の端部に位置する。出口経路90は、通路84に対して垂直であってもよい。本明細書に記載の殺菌システムは、内部客室80内の空気及び様々な構造を殺菌するために使用され得る。
【００２２】
図3は、一実施形態による殺菌システム100の概略図である。殺菌システム100は、図2Aに示す客室30又は図2Bに示す客室80などのビークルの内部客室内に取り付けられた複数の紫外線（UV）ランプ120を含む。UVランプ120は、内部客室内の空気及び表面を殺菌及び消毒するために、内部客室内にUV光を生成及び放射するように制御される。UVランプ120は、エキシマバルブを含むことができる。UVランプ120は、内部客室全体の様々な領域に位置してもよい。例えば、いくつかのUVランプ120は、乗客座席の近くに位置し、座席に座っている乗客を包含するそれぞれの照射野内でUV光を放射するように位置してもよい。他のUVランプ120は、トイレ、通路、調理室、入口及び出口経路などの共通領域に位置してもよい。殺菌システム100は、搭乗中、地上走行中、飛行中、及び降機中など、乗客の存在下であっても、UVランプ120の少なくともいくつかをオンで持続的に動作させ、放射状態にするように構成される。飛行間に客室を化学的に洗浄し、所与の量の空気を、その量の空気が環境制御システムの戻りレジスタを通って引き込まれるたびにフィルタリングするなどの断続的な消毒のみを提供する現在の慣行とは異なり、殺菌システム100は、表面上及び空気中の病原体を連続的に消毒する。殺菌システム100はまた、共通領域の占有に基づいて、人の出入りの多いいくつかの共通領域の反復的な迅速な殺菌を提供することができる。
【００２３】
殺菌システム100は、UVランプ120と、制御ユニット170と、電源172と、入力装置174と、出力装置176と、センサ178とを含む。殺菌システム100は、図1に示す航空機10などのビークルに搭載されて、又は固定された建物若しくは構造の密閉空間内に配置される。電源172は、UV光の生成に電力を供給するためにUVランプ120に電力を供給する。電源172は、機械的エネルギーを電気的エネルギーに変換する発電機であってもよい。様々な導電性ワイヤ及びケーブルが、電源172からの電力をUVランプ120に導くことができる。例えば、UVランプ120は、同じ電源172と、乗客サービスユニット（PSU）内のパーソナルライト及びパーソナル送風機、客室照明、並びに調理室内の電気器具など、客室内の他の構成要素に電力を供給する導電経路とを利用することができる。例えば、UVランプ120は、客室照明を制御する同じ電子機器パッケージに差し込むことができる。
【００２４】
制御ユニット170は、有線及び／又は無線通信経路を介してUVランプ120、入力装置174、出力装置176、及びセンサ178に動作可能に接続される。制御ユニット170は、UVランプ120の動作を制御する制御信号を生成する。生成される制御信号は、センサ178から受信される信号（例えば、データ）に基づくことができる。制御ユニット170は、1つ又は複数のプロセッサ182（例えば、1つ又は複数のマイクロプロセッサ、集積回路、マイクロコントローラ、フィールドプログラマブルゲートアレイなど）を含む及び／又はそれらに接続されたハードウェア回路を表す。制御ユニットは、有形の非一時的なコンピューター読み取り可能な記憶媒体（例えば、メモリ）184を含み、及び／又はそれに接続される。例えば、メモリ184は、本明細書に記載の制御ユニット170の動作を実行するために、1つ又は複数のプロセッサ182によって実行されるプログラム命令（例えば、ソフトウェア）を記憶してもよい。
【００２５】
制御ユニット170は、UVランプ120の各々に供給される電力（例えば、電圧及び電流）の存在及び量を制御することによって、UVランプ120を制御することができる。任意選択的に、制御ユニット170は、電源172とUVランプ120との間の回路又はバスに沿って少なくとも1つのスイッチング装置180に動作可能に接続される。スイッチング装置180は、UVランプ120の1つ又は複数への電力伝導をブロックするために回路を選択的に開き（又は遮断し）、1つ又は複数のUVランプ120への電力伝導を可能にするために回路を閉じる（又は確立する）ように構成される。スイッチング装置180は、ソリッドステートリレー、電気機械リレー、光スイッチ、DC−DCコンバータなどを表すか、又は含むことができる。単一のスイッチング装置180が示されているが、殺菌システム100は、制御ユニット170によって独立して制御される複数のスイッチング装置180を含んでもよい。例えば、各UVランプ120は、各UVランプ120に対する独立した制御を可能にするために異なるスイッチング装置180に電気的に接続されてもよい。あるいは、同じ一般領域内に位置する複数のUVランプ120を同じスイッチング装置180に電気的に接続することができ、これにより、単一のスイッチング装置180を作動させることによってその一般領域内の複数のUVランプ120のすべてに対する制御が可能になる。スイッチング装置180のうちの1つ又は複数は、ランプ120を単にオン（例えば、アクティブであり、UV光を放射する）及びオフ（例えば、非アクティブであり、UV光を放射しない）にすることに加えて、関連するUVランプ120に供給される電力量に対する可変制御を可能にすることができる。例えば、少なくとも1つのスイッチング装置180は、関連するUVランプ120に最大出力を供給し、中電力レベル及び低い非ゼロ電力レベルなどの1つ又は複数の低減された電力レベルを供給するように制御され得る。
【００２６】
一実施形態では、UVランプ120によって放射されるUV光は、乗員（例えば、乗客及び乗務員）がUV光に長期間害なくさらされることを可能にするように制御される。例えば、放射されたUV光は、長期間の曝露によってヒト組織に無害であると実験的に決定された、指定された波長又は狭帯域の波長を有し得る。したがって、たとえUVランプ120が飛行時間中にUV光を持続的に放射したとしても、乗客は害を受けない。UVランプ120は、指定された波長又は狭帯域のみを生成するように構成又は構築されてもよい。あるいは、照射野で放射されるUV光が指定された波長又は狭帯域のみからなるように、指定された波長又は狭帯域の外側の波長を吸収又は消散するフィルタを利用することができる。
【００２７】
非限定的な例では、指定された波長は222nmである。222nmの波長を有する殺菌UV光は、病原体を不活性化する代わりに、病原体（ウイルス及び細菌など）を死滅させることが分かっている。対照的に、254nmの波長のUVC光は、それらのDNAと干渉することによって病原体を不活性化し、一時的な不活性化をもたらすが、病原体を死滅させることはできない。代わりに、病原体は、通常の白色光に1時間当たり約10％の再活性化率で曝露することによって再活性化され得る。したがって、254nmの波長のUVC光は、ビークルの内部客室内などの照明領域では効果がない場合がある。さらに、254nmのUVC光は、ヒト細胞を透過することができる可能性があるため、ヒトへの曝露には推奨されない。対照的に、222nmの波長を有する殺菌UV光は、ヒトへの曝露に安全であり、病原体を死滅させる。さらに、222nmの波長を有する殺菌UV光は、アクティブにされているUVランプ120の1ミリ秒以内に最大出力で放射されてもよい（対照的に、254nmの波長を有するUVC光は、最大出力に達するのに数秒又は数分かかる場合がある）。
【００２８】
入力装置174は、パイロット又は別のオペレータが殺菌システム100を制御することを可能にするためのセレクタノブ、ワークステーションコンピューター、タブレットコンピューター、ハンドヘルドコンピューター（例えば、スマートフォン）、キーボード、タッチパッド、ジョイスティックなどを表すか、又は含むことができる。例えば、オペレータは、UVランプ120をオン及びオフにし、1つ又は複数のUVランプ120の電力設定を選択するために、入力装置174を介してユーザ入力を入力することができる。出力装置176は、航空機に搭載された一体型表示装置及び／又はパーソナルコンピューター、タブレット、若しくはハンドヘルドコンピューター（例えば、スマートフォン）上の表示画面とすることができる。制御ユニット170は、殺菌システム100の動作状態を示す通知を表示するように出力装置176を制御するための制御信号を生成することができる。動作状態は、殺菌システム100がオンであるかオフであるか、及びUVランプ120の電力設定又はレベルを含むことができる。動作状態は、異なる電力設定で動作している可能性がある異なるサブグループの状態を表す。例えば、動作状態は、トイレ内のUVランプ120がオフであり、乗客席の上方のPSU内のUVランプ120がオンであることを示すことができる。
【００２９】
図4は、一実施形態によるビークルの内部客室122内の殺菌システム100を示す概略図である。内部客室122は、複数の共通領域126を有する。図4は、第1の共通領域124（「CA1」）、第2の共通領域125（「CA2」）、及び少なくとも第3の共通領域126（「CAn」）を示し、3つを超える共通領域124〜126が存在し得ることを示している。共通領域124〜126の各々は、トイレ、トイレのすぐ外側の領域、調理室、通路、乗務員室、内部客室122の2つの異なるゾーン間の仕切りアセンブリ、又はビークルの入口に隣接する領域を表すことができる。図2Aを参照すると、共通領域124〜126は、トイレ45、トイレ45のすぐ外側の領域、通路50、52、調理室38、航空機への入口に隣接する出口経路又はドア通路領域60、ゾーン間の仕切りアセンブリ48、ドア62などであってもよい。図2Bを参照すると、共通領域124〜126は、ドア92、ドア通路領域90、通路84、トイレ87などであってもよい。
【００３０】
殺菌システム100は、第1の共通領域124内の1つ又は複数のUVランプ120の第1のサブセット128と、第2の共通領域125内の1つ又は複数のUVランプ120の第2のサブセット130と、第3の共通領域126内の1つ又は複数のUVランプ120の第3のサブセット132とを含む。UVランプ120のサブセット128、130、132の各々は、それぞれの共通領域124〜126内にUV光を放射して、その共通領域124〜126内の空気及び表面を殺菌及び消毒する。
【００３１】
サブセット128、130、132内のUVランプ120は、電源172（図3に示す）によって電力が供給される共通バス134に電気的に接続されている。図示の実施形態では、スイッチング装置180（例えば、180A、180B、180C）は、バス134とUVランプ120の異なるサブセット128、130、132の各々との間に配置される。制御ユニット170（図3に示す）は、スイッチング装置180A、180B、180Cを介して異なる共通領域124〜126内のUVランプ120の動作を独立して制御することができる。例えば、制御ユニット170は、バス134からUVランプ120の第1のサブセット128までの導電経路を開放又は遮断するスイッチング装置180Aへの制御信号を生成することによって、第1の共通領域124内のUVランプ120をオフにすることができる。制御ユニット170はまた、スイッチング装置180A、180B、180Cを利用して、所与の時間にUVランプ120の異なるサブセット128、130、132に供給される電力レベルを変化させることができ、第1のサブセット128はより高い電力レベルを受け取ることができ、第2のサブセット130は共通期間中により低い低減された電力レベルを受け取ることができる。UVランプ120に供給される電力レベルを変更すると、UVランプ120から放射されるUV光の強度及び／又は範囲が変化し、単位時間当たりに放射されるUV放射線の線量に影響を及ぼす。線量は、UV光によって死滅又は中和され得る病原体の量又は割合を示す。
【００３２】
殺菌システム100は、共通領域124〜126の各々に関連する少なくとも1つのセンサ178を含む。センサ178は、共通領域124〜126を監視し、センサ178によって生成された信号は、任意の所与の瞬間に共通領域124〜126の各々に人が存在するかどうかなど、共通領域124〜126の占有を判定するために使用される。センサ178は、圧力センサ、近接センサ、動きセンサなどであってもよい。例えば、共通領域124〜126の床下に圧力センサを設置して、共通領域124〜126を歩行する人を検出することができる。別の例では、ドアがいつ開閉されるかを示すために、トイレなどの共通領域124〜126のドアに動きセンサを設置することができる。他の動きセンサは、人々の異なる位置を経時的に追跡することによって共通領域内の人々の動きを検出することができる。1つ又は複数の動きセンサは、人が部屋に出入りするときに起こり得る光ビームが中断されたときの動きを検出する光学センサであってもよい。近接センサは、赤外線及び／又はマイクロ波を利用して、人がセンサの指定された近接内にいるときを判定することができる。センサ178は、光ビームが遮断されるなどの検出された監視変動に応じて、一定間隔で周期的に又は不規則に制御ユニット170に送信される信号を生成することができる。センサ信号は、各信号を生成する個々のセンサなどの信号の供給源を識別することができる。
【００３３】
制御ユニット170は、センサ178から信号を受信し、共通領域124〜126の各々の占有を決定するために信号を分析する。例えば、人が第1の共通領域124内の近接センサ178の指定された近接内にいる場合、制御ユニット170は、その近接センサ178からのセンサ信号に基づいて、第1の共通領域124が占有されていると判定する。指定された近接内に人がもはや存在しなくなると、近接センサ178によって生成された信号は、共通領域124が占有されていないと判定するために制御ユニット170によって分析される。
【００３４】
図5は、本明細書に記載の内部客室のいずれかなどのビークルの内部客室内のトイレ200の内部斜視図を示している。例えば、トイレ200は、図2Aに示すトイレ45又は図2Bに示すトイレ87のいずれかであってもよい。トイレ200は、ビークルに乗っている乗客が利用できる内部客室内の閉鎖された共通領域の一例である。トイレ200は、図4に示す共通領域124〜126のうちの1つを表すことができる。トイレ200は、床202、便器204、鏡206、シンク208、壁210、天井212、及びプライバシーを確立するためのドア（図示せず）を含む。殺菌システム100のUVランプ120は、トイレ200内に位置する。UVランプ120は、空気及び表面を殺菌するためにUV光をトイレ200に放射するように構成される。UV光は、UVランプ120によって放射されたUV光波（例えば、光線）の伝播によって画定される空間内の三次元ボリュームを指す照射野214内で透過される。照射野の幅は、リフレクタ、コリメータ、レンズなどのUVランプ120の機械的特徴に依存することができ、任意選択的に、所定の幅を提供するように設定され得る。図5には示されていないが、殺菌システム100のセンサ178のうちの1つ又は複数は、壁210、床202の下、天井212、又はドアに取り付けられるなど、トイレ200内に配置されてもよい。
【００３５】
図6は、本明細書に記載の内部客室のいずれかなどのビークルの内部客室内のトイレのすぐ外側の領域220の斜視図を示している。領域220は、ビークルに乗っている乗客が利用できる内部客室内の共通領域の一例である。領域220は、図4に示す共通領域124〜126のうちの1つを表すことができる。領域220は、第1の壁222と、直交などの横方向角度で第1の壁222から延在する第2の壁224とを含む。トイレへのドア226は、第1の壁222に沿って取り付けられている。第2の壁224は、乗客座席（図示せず）に向かう通路228に沿って延在している。任意選択的に、領域220は、ビークルの入口に隣接する領域を表すこともできる。例えば、ビークルドア230は、第1の壁222に隣接する胴体壁231上に位置する。第1の壁222は、ビークルドア230と第2の壁224との間にあってもよい。乗客は、ビークルドア230を介してビークルに搭乗するとき、トイレに入るとき、トイレに入るのを待つとき、トイレから出るとき、及び／又はビークルから降りるときに、領域220を占有して横断することができる。
【００３６】
図示の実施形態では、殺菌システム100の2つのUVランプ120は、領域220内に位置し、領域220内にUV光を放射するように配置される。一方のUVランプ120は領域220の天井232に沿って取り付けられ、他方のUVランプ120は胴体壁231又は第1の壁222に取り付けられる。2つのUVランプ120の照射野214は、領域220内で部分的に重なっていてもよい。図示されていないが、殺菌システム100のセンサ178のうちの1つ又は複数は、領域220内の占有を監視するために、第1の壁222、胴体壁231、天井232などに取り付けられるなど、領域220内に配置される。
【００３７】
図7は、本明細書に記載の内部客室のいずれかなどのビークルの内部客室内の調理室240の斜視図を示している。調理室240は、ビークルに乗っている乗客が利用できる内部客室内の共通領域の一例である。調理室240は、図4に示す共通領域124〜126のうちの1つを表すことができる。調理室240は、様々なキャビネット242と、コーヒーメーカ244などの器具とを含む。調理室240はまた、調理室カート246を含む。調理室240は、乗客のための飲食物の準備、ごみの廃棄などの際に乗務員によって占有されてもよい。一部の乗務員は、トリップの離陸及び着陸段階中に調理室に座ることがある。乗客は、乗車中及び降機中に調理室を通過する。
【００３８】
図示の実施形態では、殺菌システム100の2つのUVランプ120は、調理室240内に位置し、調理室240内にUV光を放射するように配置される。両方のUVランプ120は、調理室240の天井248に沿って取り付けられている。UVランプ120は、2つのUVランプ120の照射野214が部分的に重なり合って調理室240を実質的に覆うように離間されてもよい。図示されていないが、殺菌システム100のセンサ178のうちの1つ又は複数は、調理室240内の占有を監視するために、天井248、調理室240の床に沿って、キャビネット242などに取り付けられるなど、調理室240内に配置される。
【００３９】
図8は、通路266の片側に乗客座席264のグループ262を示す内部客室の乗客座席領域260の側面図を示している。内部客室は、ビークル内にあり、本明細書に記載の内部客室のいずれかとすることができる。乗客座席領域260内の通路266は、ビークルに乗っている乗客及び乗務員が利用できる共通領域の一例である。通路266は、図4に示す共通領域124〜126のうちの1つを表すことができる。乗客座席領域260はまた、乗客の機内持ち込み手荷物を保管するための収納区画268を含む。収納区画268は、座席264の上方に位置してもよい。天井270は、通路266の上方に位置する。乗客は、搭乗中及び降機中並びにトイレへのトリップ中など、座席264まで歩いて行くときや座席264から離れるときに通路266を占有することができる。
【００４０】
図示の実施形態では、殺菌システム100の3つのUVランプ120は、通路266の領域内に位置している。例えば、UVランプ120は、通路266の上方の天井270に取り付けられ、通路266に向かってUV光を放射するように配置される。UVランプ120は、隣接するUVランプ120の照射野214が通路266の上方に部分的に重なることを可能にする指定された間隔で通路266の長さに沿って離間して、通路領域の実質的な殺菌範囲を提供することができる。図示の実施形態では、殺菌システム100の複数のセンサ178は、通路領域内に配置され、通路266の長さに沿って離間している。例えば、センサ178は、通路266の占有を監視するために通路266の床272の上又は下に取り付けられてもよい。センサ178は、床272上の足音の力に基づいて床272上を歩く乗員を監視するために床272の下に取り付けられた圧力センサであってもよい。
【００４１】
一実施形態では、センサ178は、通路266の長さに沿って異なる対応するUVランプ120と位置合わせすることができ、センサ178が人の足音を検出する順序に基づいて通路266に沿って歩いている人を追跡することを可能にする。制御ユニット170（図3に示す）は、任意選択的に、通路266上の人の追跡された動きに基づいて、所与の時間に通路266に沿って異なるUVランプ120に供給される電力を変化させることができる。以下でより詳細に説明するように、制御ユニット170は、通路266を長さに沿って異なるセグメント274に効果的に分割することができる。人が第1のセグメント274Aを通過すると、制御ユニット170は、第1のセグメント274内のUVランプ120に供給される電力を増加させて、そのUVランプ120によって放射されるUV光の強度及び／又は範囲を増加させて、通路266を歩いている人がちょうど占有する領域を迅速に殺菌することができる。続いて、制御ユニット170は、人が隣接セグメント274を通過した後、人が歩行している方向に隣接UVランプ120に供給される電力を増加させる。指定された時間量の後、制御ユニット170は、エネルギーを節約するためにUVランプ120に供給される電力を低減する。結果として、センサ178は、制御ユニット170がUVランプ120を順次動作させて、通路266に沿った人々の動きを追跡し、人々が通路266に沿って歩くときに人々によって放出される病原体を死滅させる又は中和することを可能にする。制御ユニット170はまた、人がまだセグメント274内にいる間に、人の追跡された動きを使用して迅速な（高電力レベルの）衛生化を開始することができ、これにより、病原体が人によって吸い込まれるか又は遭遇され得る前に病原体を殺すことができる。
【００４２】
図9は、一実施形態による殺菌システム100のUVランプ120の1つの側面図を示している。UVランプ120は、ハウジング150と、バルブ152と、カバーシート154又はレンズと、リフレクタ156とを含む。バルブ152及びリフレクタ156は、ハウジング150及びカバーシート154によって画定された空隙部158内に保持される。バルブ152は、透明又は少なくとも半透明であるカバーシート154を貫通するUV光を照射野214内に放射する。バルブ152は、エキシマバルブであってもよい。リフレクタ156は反射性であり、バルブ152がリフレクタ156とカバーシート154との間にあるように配置される。リフレクタ156は、リフレクタ156の表面に当たる光をカバーシート154に向けて反射するように成形されて配置される。リフレクタ156は、バルブ152の周りに少なくとも部分的に湾曲していてもよい。ハウジング150の壁は、壁を通る光透過を防止するために不透明であってもよく、任意選択的に反射性であってもよく、照射野214がカバーシート154を透過する光によって画定されることを確実にする。UVランプ120は、凸レンズ又は凹レンズ、バルブ152をハウジング150に取り付けるためのハードウェア、及びバルブ152に電力を供給するための回路などの追加の構成要素を含むことができる。
【００４３】
一実施形態では、照射野214は静的であり、UVランプ120の動作中に一定である。例えば、リフレクタ156は、ハウジング150内の固定位置に取り付けられてもよい。別の実施形態では、リフレクタ156は、回転又は旋回して、照射野214の寸法を変更することができる。
【００４４】
図10は、別の実施形態による殺菌システム100のUVランプ120の1つの側面図を示している。リフレクタ156は、リフレクタ156を旋回及び／又は並進させて、バルブ152及びカバーシート154に対するリフレクタ156の角度を変更するように制御されるアクチュエータに結合される。図示されている位置では、リフレクタ156は右に偏心しており、照射野214（実線で示されている）は左に傾いている。リフレクタ156が左に偏心した位置に徐々に移動すると、照射野214（図示せず）は右にシフトする。結果として、複数のサイクルにわたって、UV光は、図9に示す静的ランプ120よりも広い照明範囲領域160に透過される。照明範囲領域160は、移動するリフレクタ156の全サイクルにわたる照射野214の最外縁を表し、破線は、リフレクタ156が左に偏心しているときの縁部を表す。別の実施形態では、リフレクタ156を移動させる代わりに、ハウジング150全体又はハウジング内のレンズを旋回又は回転させることによって、より広い照明範囲領域160を提供することができる。
【００４５】
図11は、ビークルの内部客室内の空気及び表面を殺菌及び消毒するための方法300のフローチャートである。方法300は、複数の乗客及び／又は乗務員の出入りが多い可能性のある共通領域を殺菌するのに特に適用可能である。方法300は、図1〜図10を参照して上述した殺菌システム100によって実行され得る。方法300の特定のステップは、プログラムされた論理又は命令に基づいて、図3に示す制御ユニット170によって実行され得る。方法300は、任意選択的に、記載されたものよりも多いステップ、記載されたものよりも少ないステップ、及び／又は記載されたものとは異なるステップを含む。
【００４６】
302において、ビークルの内部客室122内の様々な箇所でUVランプ120に電力が供給される。電力は、発電機などの搭載電源172によって供給され得る。304において、UVランプ120は、ヒト組織にとって安全な指定された波長又は狭い波長範囲でビークルのトリップ中に内部客室122内にUV光を放射するように制御される。指定された波長は222nmであってもよい。306において、内部客室122の共通領域126が、共通領域126の占有について監視される。共通領域126は、トイレ、トイレのすぐ外側の領域、調理室、通路、乗務員室、内部客室の2つの異なるゾーン間の分割領域、又はビークルの入口に隣接する領域とすることができる。占有は、共通領域126内の人の存在を検出するために取り付けられた1つ又は複数のセンサ178を使用することによって監視され得る。
【００４７】
308において、共通領域126の乗員が共通領域126から出たか否かが判定される。例えば、センサ178からの信号を分析して、占有されている共通領域126が少なくとも一時的に占有されなくなるときを判定することができる。これは、例えば、トイレにいる人がドアを通ってトイレから出るときに起こり得る。乗員が共通領域126から出たと判定された場合、フローは310に進む。310において、共通領域126内の1つ又は複数のUVランプ120に供給される電力は、共通領域126内の1つ又は複数のUVランプ120が指定された期間にわたって高電力レベルで動作するように増加される。高電力レベルは、相対的な用語であるが、共通領域126の迅速な殺菌を提供する強度及び／又は範囲でUVランプ120にUV光を放射させる電力レベルを指す。高電力レベルは、UVランプ120の定格出力の80％、90％、95％、100％などを表すことができる。UVランプ120は、以下に説明するように、前の乗員が共通領域126を出た後、指定された期間内に乗員が共通領域126に入らない限り、乗員が共通領域126内にいる間はより低い電力レベルで動作することができる。指定された期間は用途固有であり、一般に、空気中及び表面上の病原体を迅速に死滅させる又は中和するために共通領域126に所望の線量のUV放射線を送達するのに必要な最小時間量を指す。指定された期間は、共通領域126のサイズ、共通領域126内のUVランプ120の数、及び高電力レベルでのUVランプ120の電力出力に基づくことができる。非限定的な例では、指定された期間は、10秒、20秒、30秒、45秒、又は1分であり得る。一方、乗員が共通領域126から出ていない場合、方法300は、共通領域126の継続的な監視のために306に戻る。
【００４８】
312において、指定された期間の満了時に、共通領域126内のUVランプ120が高電力レベルで動作しているので、共通領域126が占有されているかどうかの別の判定が行われる。期間が満了したときに共通領域126が別の人によって占有されている場合、フローは314に進む。315において、共通領域126内の1つ又は複数のUVランプ120に供給される電力は、高電力レベルよりも低い第1の低減された電力レベルでUVランプ120を動作させるように変更される。第1の低減された電力レベルは、中電力レベル又は低電力レベルとして分類され得る。UVランプ120はUV光を放射し続けるが、UV光は指定された期間中に放射されるUV光よりも強度及び／又は範囲が小さい。したがって、UVランプ120は、別の人が占有している間に共通領域126を殺菌し続けることができる。
【００４９】
一方、共通領域126が期間の満了時に占有されていない場合、方法300は316に進む。316において、共通領域126内の1つ又は複数のUVランプ120に供給される電力は、共通領域126内のUVランプ120を停止させるか、又は第2の低減された電力レベルでUVランプ120を動作させるように変更される。例えば、UVランプ120をオフにして、共通領域126の別の乗員が共通領域126を出るまで、共通領域126へのUV光の放射を停止することができる。あるいは、UVランプ120は、オンのままにされ、高電力レベル及び第1の低減された電力レベルよりも低くてもよい第2の低減された電力レベルでUV光を放射することができる。例えば、第2の低減された電力レベルは、メンテナンスレベルとも呼ばれる低電力レベルであってもよい（第1の低減された電力レベルは、中電力レベルであってもよい）。ステップ314又は316の後、方法300は306に戻り、占有について共通領域126を監視し続ける。内部客室122の共通領域126内のUVランプ120に供給される（例えば、UVランプ120によって消費される）電力を変調して、占有に基づいて高強度UV光の短いバーストを提供することは、エネルギー効率の良い方法で病原体を死滅させるために使用され得る。
【００５０】
方法300の別の実施形態では、ステップ310に続く指定された期間の満了時に、方法300は本質的にステップ316に直接ジャンプする。例えば、共通領域126が占有されているか否かにかかわらず、指定された期間が終了した後、共通領域120内のUVランプ120は停止されるか、又は低減された（例えば、低い）電力レベルで動作され、フローは306に戻る。UVランプ120は、308において、方法が310に戻るように、後続の乗員が共通領域126から出たと判定されるまでオフ又は低減電力レベルに保たれる。
さらに、本開示は、以下の条項に係る例を含む。
【００５１】
条項1．ビークルの内部客室内の様々な箇所に取り付けられた複数の紫外線（UV）ランプ（120）であって、UVランプ（120）は、ビークルに搭載された電源（172）から電力を受け取り、ビークルのトリップ中に内部客室内にUV光を放射するように構成されている、複数の紫外線（UV）ランプ（120）と、
1つ又は複数のプロセッサ（182）を含み、UVランプ（120）に動作可能に接続された制御ユニット（170）であって、制御ユニット（170）は、共通領域の占有に基づいて内部客室の共通領域に位置するUVランプ（120）の1つ又は複数に供給される電力を変更する、制御ユニット（170）と
を備える、殺菌システム（100）。
【００５２】
条項2．共通領域の乗員が共通領域を出たことを検出したことに応答して、制御ユニット（170）が、共通領域の迅速な殺菌を提供するために、共通領域に位置する1つ又は複数のUVランプ（120）を指定された期間にわたって高電力レベルで動作させるように構成されている、条項1に記載の殺菌システム（100）。
【００５３】
条項3．共通領域が指定された期間の満了時に占有されていることを検出したことに応答して、制御ユニット（170）が、共通領域に位置する1つ又は複数のUVランプ（120）を、高電力レベルよりも低い低減された電力レベルで動作させるように構成されている、条項2に記載の殺菌システム（100）。
【００５４】
条項4．低減された電力レベルが、高電力レベルよりも小さく、かつ低い非ゼロ電力レベルよりも大きい中電力レベルである、条項3に記載の殺菌システム（100）。
【００５５】
条項5．共通領域が指定された期間の満了時に占有されていないことを検出したことに応答して、制御ユニット（170）が、（i）共通領域に位置する1つ又は複数のUVランプ（120）をオフにしてUV光の放射を停止すること、又は（ii）共通領域に位置する1つ又は複数のUVランプ（120）を高電力レベルよりも低い低減された電力レベルで動作させることのうちの一方を行うように構成されている、条項2、3、又は4に記載の殺菌システム（100）。
【００５６】
条項6．低減された電力レベルが、低い非ゼロ電力レベルである、条項5に記載の殺菌システム（100）。
【００５７】
条項7．共通領域が、トイレ、トイレのすぐ外側の領域、調理室、通路、乗務員室、内部客室の2つの異なるゾーン間の仕切りアセンブリ、又はビークルの入口に隣接する領域のうちの1つである、条項1から6のいずれか一項に記載の殺菌システム（100）。
【００５８】
条項8．内部客室内に取り付けられ、制御ユニット（170）に動作可能に接続された1つ又は複数のセンサ（178）をさらに備え、1つ又は複数のセンサ（178）は共通領域を監視し、制御ユニット（170）は、1つ又は複数のセンサ（178）から受信した信号に基づいて共通領域の占有を決定する、条項1から7のいずれか一項に記載の殺菌システム（100）。
【００５９】
条項9．1つ又は複数のセンサ（178）が、圧力センサ、近接センサ、又は動きセンサのうちの少なくとも1つを含む、条項8に記載の殺菌システム（100）。
【００６０】
条項10．1つ又は複数のセンサ（178）が複数のセンサ（178）を含み、センサ（178）の少なくともサブセットが、床の上を歩く乗員を監視するために内部客室の床の下に配置された圧力センサ（178）である、条項1から9のいずれか一項に記載の殺菌システム（100）。
【００６１】
条項11．UVランプ（120）が、ヒト組織にとって安全な指定された波長又は狭い波長範囲でUV光を放射するように構成されている、条項1から10のいずれか一項に記載の殺菌システム（100）。
【００６２】
条項12．指定された波長が222nmである、条項11に記載の殺菌システム（100）。
【００６３】
条項13．ビークルが航空機である、条項1から12のいずれか一項に記載の殺菌システム（100）。
【００６４】
条項14．UVランプ（120）がビークルのトリップ中に内部客室内にUV光を放射するために、ビークルに搭載された電源（172）から、ビークルの内部客室内の様々な箇所に取り付けられた複数の紫外線（UV）ランプ（120）に電力を供給するステップと、
共通領域の占有に基づいて内部客室の共通領域に位置するUVランプ（120）の1つ又は複数に供給される電力を変更するステップと
を含む、方法。
【００６５】
条項15．1つ又は複数のセンサ（178）を介して占有について共通領域を監視するステップをさらに含み、
共通領域の乗員が共通領域を出たことを検出したことに応答して、共通領域内のUVランプ（120）の1つ又は複数に供給される電力を変更するステップが、共通領域の迅速な殺菌を提供するために指定された期間にわたって1つ又は複数のUVランプ（120）を高電力レベルで動作させるステップを含む、
条項14に記載の方法。
【００６６】
条項16．共通領域が指定された期間の満了時に占有されていることを検出したことに応答して、共通領域内のUVランプ（120）の1つ又は複数に供給される電力を変更するステップが、高電力レベルよりも低い第1の低減された電力レベルで1つ又は複数のUVランプ（120）を動作させるステップを含む、条項15に記載の方法。
【００６７】
条項17．共通領域が指定された期間の満了時に占有されていないことを検出したことに応答して、共通領域内のUVランプ（120）の1つ又は複数に供給される電力を変更するステップが、（i）UV光の放射を停止するために共通領域に位置する1つ又は複数のUVランプ（120）をオフにするステップ、又は（ii）第1の低減された電力レベルよりも低い第2の低減された電力レベルで1つ又は複数のUVランプ（120）を動作させるステップのうちの一方を含む、条項16に記載の方法。
【００６８】
条項18．長時間の曝露においてヒト組織にとって安全な指定された波長又は狭い波長範囲でUV光を放射するようにUVランプ（120）を制御するステップをさらに含む、条項14から17のいずれか一項に記載の方法。
【００６９】
条項19．共通領域が、トイレ、トイレのすぐ外側の領域、調理室、通路、乗務員室、内部客室の2つの異なるゾーン間の分割領域、又はビークルの入口に隣接する領域のうちの1つである、条項14から18のいずれか一項に記載の方法。
【００７０】
条項20．ビークルの内部客室内の様々な箇所に取り付けられた複数の紫外線（UV）ランプ（120）であって、UVランプ（120）は、ビークルに搭載された電源（172）から電力を受け取り、ヒト組織にとって安全な指定された波長又は狭い波長範囲でのビークルのトリップ中に内部客室内にUV光を放射するように構成されている、複数の紫外線（UV）ランプ（120）と、
内部客室内に取り付けられ、内部客室の共通領域を監視するように構成された1つ又は複数のセンサ（178）と、
1つ又は複数のプロセッサ（182）を含み、UVランプ（120）及び1つ又は複数のセンサ（178）に動作可能に接続された制御ユニット（170）であって、制御ユニット（170）は、1つ又は複数のセンサ（178）から受信した信号に基づいて共通領域の占有を決定し、共通領域の決定された占有に基づいて、共通領域に位置するUVランプ（120）の1つ又は複数に供給される電力を変更する、制御ユニット（170）と
を備える、殺菌システム（100）。
【００７１】
本明細書に記載されるように、本開示の実施形態は、UV光にさらされる人々を害することなく、UV光を使用して、特に人の出入りの多い共通領域において、ビークルの内部客室内の表面、空気、及び人々を殺菌及び消毒するためのシステム及び方法を提供する。さらに、本開示の実施形態は、内部ビークル客室内の空気及び表面を殺菌するためにUV光を使用し、エネルギーを節約するためにUV光の電力消費を変調するための内蔵の、使いやすい、安全なシステム及び方法を提供する。
【００７２】
例えば、上、底、下、中間、横方向、水平方向、垂直方向、正面などの様々な空間及び方向の用語を、本開示の実施形態を説明するために使用することができるが、このような用語は図示された向きに関して単に使用されることが理解される。向きは、反転され、回転され、又は他の方法で変更されてもよく、このため、上部が下部に、及びその逆や、水平方向が垂直方向になどなる。
【００７３】
本明細書で使用される、タスク又は動作を実行する「ように構成された（configured to）」構造、制限、又は要素は、特に構造的に形成され、構築され、又はタスク若しくは動作に対応するように適合されている。明確にする目的及び誤解を避けるために、タスク又は動作を実行するように変更されることが単に可能なオブジェクトは、本明細書で使用されるタスク又は動作を実行する「ように構成され（configured to）」ていない。
【００７４】
本明細書で使用する場合、数値の前に挿入された「約」、「実質的に」、及び「およそ」などの値修飾語は、値が指定値の5％、10％、又は15％以内の値など、指定値を上回る及び／又は下回る指定された閾値範囲内の他の値を表すことができることを示す。
【００７５】
上記の説明は例示であって限定されないことを意図することが理解されるべきである。例えば、上述の実施形態（及び／又はその態様）を、互いに組み合わせて使用することができる。加えて、本開示の様々な実施形態の教示に、その範囲から逸脱することなく、特定の状況又は材料を適合するために、多くの変更がなされ得る。本明細書中に記載される材料の寸法及びタイプは、本開示の様々な実施形態のパラメータを画定することを意図されているが、本実施形態は、決して限定的ではなく例示的な実施形態である。多くの他の実施形態は、上記の説明を検討することにより当業者には明らかにされよう。本開示の様々な実施形態の範囲は、したがって、その請求項が権利を有する均等物の全範囲と共に、添付の特許請求の範囲を参照して決定されるべきである。添付の特許請求の範囲及び本明細書の詳細な説明において、「含む（including）」や「ここで（in which）」という用語は、普通の英語の各用語「備える（comprising）」や「ここで（wherein）」と同等として使用される。また、用語「第1（first）」、「第2（second）」、及び「第3（third）」などは、単にラベルとして使用され、これらの対象に数の要件を課すことを意図するものではない。さらに、以下の特許請求の範囲の制限は、ミーンズプラスファンクション形式で書かれておらず、この特許請求の範囲の制限がさらなる構造の機能ボイドの記述に続く「手段（means for）」のフレーズを明示的に使用しない限り、米国特許法第112条（f）に基づいて解釈されるものではない。
【００７６】
この記載は、ベストモードを含む本開示の様々な実施形態を開示するために例を使用し、また、当業者が、任意のデバイス又はシステムを作製及び使用すること、並びに任意の組み込まれた方法を実行することを含む、本開示の様々な実施形態を実施することを可能にする。本開示の様々な実施形態の特許可能な範囲は、特許請求の範囲によって定義され、当業者が想到する他の例を含むことができる。例が特許請求の範囲の文言と異ならない構造要素を有する場合、又は例が特許請求の範囲の文言と実質的でない差を有する同等の構造的要素を含む場合、このような他の例は、特許請求の範囲の範囲内にあることが意図されている。
【符号の説明】
【００７７】
10  航空機
12  推進システム
14  エンジン
16  翼
18  胴体
20  尾翼
22  水平スタビライザ
24  垂直スタビライザ
30  内部客室
33  前部セクション
34  ファーストクラスセクション
36  ビジネスクラスセクション
38  前部調理室ステーション、調理室
40  拡張エコノミー又はコーチセクション
42  標準的なエコノミーのコーチセクション
44  後部セクション
45  トイレ
46  客室移行領域
48  クラス仕切りアセンブリ
50  通路
52  通路
60  ドア通路領域、ドア通路、出口経路
62  出口ドア
80  内部客室
82  主客室
83  乗客座席
84  通路
85  後部セクション
86  中央長手方向面
87  トイレ
90  ドア通路領域、ドア通路、出口経路
92  出口ドア
100  殺菌システム
120  UVランプ、静的ランプ、共通領域
122  内部客室
124  共通領域
125  共通領域
126  共通領域
128  サブセット
130  サブセット
132  サブセット
134  共通バス
150  ハウジング
152  バルブ
154  カバーシート
156  リフレクタ
158  空隙部
160  照明範囲領域
170  制御ユニット
172  電源
174  入力装置
176  出力装置
178  近接センサ
180  スイッチング装置
180A  スイッチング装置
180B  スイッチング装置
180C  スイッチング装置
182  プロセッサ
184  メモリ
200  トイレ
202  床
204  便器
206  鏡
208  シンク
210  壁
212  天井
214  照射野
222  第1の壁
224  第2の壁
226  ドア
228  通路
230  ビークルドア
231  胴体壁
232  天井
240  調理室
242  キャビネット
244  コーヒーメーカ
246  調理室カート
248  天井
260  乗客座席領域
262  乗客座席264のグループ
264  乗客座席
266  通路
268  収納区画
270  天井
272  床
274  セグメント
274A  セグメント
【図１】
2022002699.tif 000003
【図２Ａ】
2022002699.tif 000004
【図２Ｂ】
2022002699.tif 000005
【図３】
2022002699.tif 000006
【図４】
2022002699.tif 000007
【図５】
2022002699.tif 000008
【図６】
2022002699.tif 000009
【図７】
2022002699.tif 000010
【図８】
2022002699.tif 000011
【図９】
2022002699.tif 000012
【図１０】
2022002699.tif 000013
【図１１】
2022002699.tif 000014
【外国語明細書】
2022002699000001.pdf